(57)【要約】 【課題】セットする冊子の種類を誤った場合であっても、操作員による作業負担を軽減できる冊子作成装置および冊子作成方法を提供する。【解決手段】実施形態によれば、冊子作成装置は、受信部と、供給部と、読取部と、判定部と、記録部と、中止部とを有する。受信部は、個人用の冊子の作成指示と作成する冊子の種類とを受信する。供給部は、セットされた初期状態の冊子を１冊ずつ供給する。読取部は、供給部が供給する冊子の表紙の情報を読取る。判定部は、読取部により読み取った冊子の表紙の情報により供給部が供給する冊子が作成指示された種類の冊子であるか否かを判定する。記録部は、判定部により供給部が供給する冊子が作成指示された種類の冊子であると判定した場合、当該冊子に個人情報を記録する。中止部は、判定部により供給部が供給する冊子が作成指示された種類の冊子でないと判定した場合、供給部からの当該冊子の供給を中止する。【選択図】図２
2013067048.tif 000002
【特許請求の範囲】
【請求項１】
個人用の冊子を作成する冊子作成装置において、
個人用の冊子の作成指示と作成する冊子の種類とを受信する受信部と、
セットされた初期状態の冊子を１冊ずつ供給する供給部と、
前記供給部が供給する冊子の表紙の情報を読取る読取部と、
前記読取部により読み取った冊子の表紙の情報により前記供給部が供給する冊子が作成指示された種類の冊子であるか否かを判定する判定部と、
前記判定部により前記供給部が供給する冊子が作成指示された種類の冊子であると判定した場合、当該冊子に個人情報を記録する記録部と、
前記判定部により前記供給部が供給する冊子が作成指示された種類の冊子でないと判定した場合、前記供給部からの当該冊子の供給を中止する中止部と、
を具備することを特徴とする冊子作成装置。
【請求項２】
さらに、前記判定部により前記供給部が供給する冊子が作成指示された種類の冊子でないと判定した場合、前記供給部が供給する冊子の種類と作成が指示された冊子の種類とが不一致であることを通知する通知部を有する、
ことを特徴とする前記請求項１に記載の冊子作成装置。
【請求項３】
前記中止部は、前記判定部により前記供給部が供給する冊子が作成指示された種類の冊子でないと判定した場合、前記供給部からの当該冊子の供給を中止するとともに、前記受信部により受信した冊子の作成指示を取り消す、
ことを特徴とする前記請求項１又は２に何れかに記載の冊子作成装置。
【請求項４】
個人情報を記録した冊子を作成する冊子作成方法であって、
個人用の冊子の作成指示と作成する冊子の種類とを受信し、
作成処理の対象となる初期状態の冊子の表紙の情報を読取り、
前記読み取った冊子の表紙の情報により作成処理の対象となる初期状態の冊子の種類が作成指示された種類の冊子であるか否かを判定し、
前記作成処理の対象となる初期状態の冊子の種類が作成指示された種類の冊子であると判定された場合、当該初期状態の冊子に個人情報を記録して個人用の冊子を作成し、
前記作成処理の対象となる初期状態の冊子の種類が作成指示された種類の冊子でないと判定された場合、当該初期状態の冊子に対する処理を中止する、
ことを特徴とする冊子作成方法。
【請求項５】
さらに、前記作成処理の対象となる初期状態の冊子の種類が作成指示された種類の冊子でないと判定された場合、前記作成処理の対象となる初期状態の冊子の種類と作成が指示された冊子の種類とが不一致であることを通知する、
ことを特徴とする前記請求項４に記載の冊子作成方法。
【請求項６】
さらに、前記作成処理の対象となる初期状態の冊子の種類が作成指示された種類の冊子でないと判定された場合、前記受信した冊子の作成指示を取り消す、
ことを特徴とする前記請求項４又は５に何れかに記載の冊子作成方法。
【発明の詳細な説明】
【技術分野】
【０００１】
本発明の実施形態は、冊子作成装置及び冊子作成方法に関する。
【背景技術】
【０００２】
冊子作成装置は、初期状態の冊子を取り込んで個人情報を記録した個人用の冊子を作成する装置である。冊子には複数の種類があるため、従来の冊子作成装置は、取り込んだ冊子内に予め記録されている冊子の固有の情報を読み込むことにより、取り込んだ冊子の種類が作成すべき冊子の種類であるかを確認している。従来の冊子作成装置は、冊子を装置内に取り込んでから種類を判別するため、冊子の種類誤りが発生した場合には、操作者が装置内部から冊子取り除くなどの復帰作業に手間や時間がかかる。
【先行技術文献】
【特許文献】
【０００３】
【特許文献１】特開２００６−９２１０５号公報
【発明の概要】
【発明が解決しようとする課題】
【０００４】
この発明は、セットする冊子の種類を誤った場合であっても、操作員による作業負担を軽減できる冊子作成装置および冊子作成方法を提供することを目的とする。
【課題を解決するための手段】
【０００５】
実施形態によれば、冊子作成装置は、受信部と、供給部と、読取部と、判定部と、記録部と、中止部とを有する。受信部は、個人用の冊子の作成指示と作成する冊子の種類とを受信する。供給部は、セットされた初期状態の冊子を１冊ずつ供給する。読取部は、供給部が供給する冊子の表紙の情報を読取る。判定部は、読取部により読み取った冊子の表紙の情報により供給部が供給する冊子が作成指示された種類の冊子であるか否かを判定する。記録部は、判定部により供給部が供給する冊子が作成指示された種類の冊子であると判定した場合、当該冊子に個人情報を記録する。中止部は、判定部により供給部が供給する冊子が作成指示された種類の冊子でないと判定した場合、供給部からの当該冊子の供給を中止する。
【図面の簡単な説明】
【０００６】
【図１】図１は、実施形態に係る冊子作成システムの構成例を概略的に示す図である。
【図２】図２は、実施形態に係る冊子作成装置の構成例を示す図である。
【図３】図３は、正しい種類の冊子がセットされた冊子作成装置による冊子作成処理における動作シーケンスを示す図である。
【図４】図４は、誤った種類の冊子がセットされた冊子作成装置による冊子作成処理における動作シーケンスを示す図である。
【図５】図５は、冊子作成装置における冊子作成処理の流れを説明するためのフローチャートである。
【発明を実施するための形態】
【０００７】
以下、実施形態について、図面を参照して説明する。  
図１は、実施形態に係る冊子作成システムの構成例を示す図である。  
冊子作成システムは、冊子作成装置１１、入力端末１２、および、監視端末１３より構成される。操作員（オペレータ）Ｐは、入力端末１２あるいは監視端末１３を操作し、作成する個人用の冊子に記録する個人情報などの情報を入力する。冊子作成装置１１は、入力端末１２あるいは監視端末１３で入力された情報に基づいて個人情報を記録した個人用の冊子を作成する。
【０００８】
なお、本実施形態の冊子作成システムにおいて、冊子作成装置１１は、メモリとしてのＩＣチップを内蔵した冊子に個人情報を記録したものを個人用の冊子として作成するものとする。また、個人用の冊子は、初期状態で複数の種類が存在する。個人用の冊子を作成する場合、作成する冊子の種類が選択され、選択された種類の初期状態の冊子に個人情報を記録したものが個人用の冊子として作成されるものとする。
【０００９】
入力端末１２は、オペレータＰが冊子作成装置１１により作成する個人用の冊子に記録する情報を入力したり、冊子の作成指示を入力したりするものである。入力端末１２は、たとえば、監視端末１３及び冊子作成装置１１との通信が可能なコンピュータ（ＰＣ）などにより構成される。また、入力端末１２は、オペレータが操作指示を入力するための操作部１２ａおよび情報を記憶する１２ｂを有する。入力端末１２は、操作部１２ａでオペレータＰが入力した個人情報などに基づいて、作成する冊子の種類、および、個人用の冊子に印刷する情報、および、当該冊子に内蔵されるメモリ（ＩＣチップ）に記録する情報を作成し、作成した情報を記憶部１２ｂに記憶する。
【００１０】
監視端末１３は、冊子作成装置１１による冊子の作成状況を監視する。また、監視端末１３は、冊子作成装置１１の処理状況をオペレータに報知する機能も有する。監視端末１３は、入力端末１２及び冊子作成装置１１との通信機能を有するコンピュータ（ＰＣ）により構成できる。また、監視端末１３は、情報を表示する表示部１３ａおよび音声を鳴らすスピーカ１３ｂを有している。監視端末１３は、冊子作成装置１１からの処理状況を示す通知を受けて、冊子作成装置１１における処理状況を表示部１３ａに表示したり、オペレータへの警告が必要な場合にはスピーカ１３ｂで音を鳴らしたりする。
【００１１】
冊子作成装置１１は、ＩＣチップを内蔵した記録媒体としての冊子に個人情報などの情報を記録した個人用の冊子を作成する。冊子作成装置１１には、作成処理が施される初期状態の冊子として、オペレータが選択した種類の冊子がセットされる。冊子作成装置１１は、オペレータがセットした初期状態の冊子を１冊ずつ装置内に取り込み、取り込んだ冊子に内蔵されたＩＣチップに個人情報などの情報を書込み、当該冊子の券面に個人情報などの情報を印刷することにより、個人用の冊子を作成する。
【００１２】
図２は、冊子作成装置１１の構成例を示す図である。  
図２に示すように、冊子作成装置１１は、制御部２０、供給部２１、表紙情報読込部２２、読込部２３、書込部２４、印刷部２５、集積部２６、および、通信部２７を有する。制御部２０は、冊子作成装置１１全体の制御を司るものであり、プロセッサ、ＲＯＭ、ＲＡＭ及び各種インターフェースなどにより構成する。制御部２０は、プロセッサがＲＯＭなどに記憶されたプログラムを実行することにより種々のデータ処理を実現している。
【００１３】
また、通信部２７は、ネットワークを介して、入力端末１２および監視端末１３とのデータ通信を行うインターフェースである。たとえば、通信部２７は、冊子作成装置１１と監視端末１３との間、および、冊子作成装置１１と入力端末１２との間において、双方向通信を行うためのインターフェースである。また、通信部２７は、冊子作成装置１１から監視端末１３への単方向通信を行うものであっても良い。  
制御部２０は、通信部２７に接続され、通信部２７を介して入力端末１２あるいは監視端末１３から情報を取得したり、入力端末１２あるいは監視端末１３へ情報を通知したりするようになっている。
【００１４】
供給部２１は、複数冊の冊子を格納する格納部を有する。供給部２１の格納部には、オペレータが初期状態の冊子をセットする。オペレータは、作成する冊子の種類に応じて選択した初期状態の冊子を供給部２１内の格納部にセットする。供給部２１は、オペレータが初期状態の冊子を格納部にセットしたり、格納部にセットされている冊子を取り出したりし易いように構成される。供給部２１は、後述する表紙情報読込部２２により読み込んだ表紙情報により供給する冊子の種類が正しいことが確認された場合に、当該冊子を装置内へ供給する。
【００１５】
供給部２１内には、格納部にセットされた初期状態の冊子のうち次に供給される冊子の表紙を読取る表紙情報読込部２２が設けられている。表紙情報読込部２２は、冊子の表紙から冊子の種類が判別できる情報（例えば、色、文字、バーコード等の情報）を読み込むものである。たとえば、表紙情報読込部２２は、表紙における冊子の種類を示す情報を読み取るために、カラーセンサ、ラインセンサ、バーコードリーダなどが１つ以上設置された構成を有する。表紙情報読込部２２は、冊子の表紙を読み込んだ表紙情報を、制御部２０へ供給する。制御部２０は、表紙情報読込部２２から供給される表紙情報により当該冊子の種類を判別し、当該冊子が作成対象とする冊子の種類と一致しているか否かを判定する。
【００１６】
供給部２１が冊子作成装置１１内に供給する冊子は、読込部２３に取り込まれる。読込部２３は、供給部２１から取り込まれた冊子から冊子固有の情報を取得する。たとえば、読込部２３は、冊子に内蔵されているＩＣチップから予め記憶されている固有情報を読み込む。
【００１７】
読込部２３により固有情報が読み込まれた冊子のＩＣチップには、書込部２４により個人情報を含む情報が書き込まれる。書込部２４は、冊子に内蔵されたＩＣチップに個人情報などを含む情報を書き込む。たとえば、冊子に内蔵されるＩＣチップは、プロセッサ、メモリ及び非接触式通信部などを有し、上位装置（読込部２３、書込部２４）からのコマンドに応じてデータの書き込み及び読み出しなどの処理を行う装置である。この場合、読込部２３及び書込部２４は、ＩＣリーダライタＲＷとして一体的に形成される装置で構成しても良い。
【００１８】
印刷部２５は、冊子に印刷を行う。印刷部２５は、たとえば、冊子におけるパーソナル頁に個人情報（氏名、顔画像等）を含む情報を印刷する。印刷部２５は、顔画像を印刷するためのカラープリンタ、蛍光画像を印刷するための蛍光プリンタ、および、所定のフォーマットで所定情報を所定位置（ＭＲＺ：マシンリーダブルエリア）にプリントするモノクロプリンタなどにより構成する。印刷部２５により印刷処理が施された冊子は、正常に作成された個人用の冊子として、集積部２６に集積される。集積部２６は、複数の冊子が集積可能な集積庫を有し、作成された個人用の冊子が集積される。
【００１９】
次に、上記冊子作成システムの動作について説明する。  
図３は、冊子作成システムにおいて、正しい種類の冊子がセットされた冊子作成装置が冊子を作成する処理を含む動作シーケンスを示す図である。  
まず、オペレータは、入力端末１２の操作部１２ａを使用し、作成する冊子の種類を指定して作成する冊子に記録及び印刷する個人情報を入力する（ステップＳ１０）。入力端末１２は、入力された情報を基に作成する冊子のＩＣチップに書き込むべき情報と作成する冊子の券面（パーソナル頁）に印刷すべき情報とを作成する。入力端末１２は、入力された情報から作成した冊子に記録及び印刷すべき情報を記憶部１２ｂに保存する（ステップＳ１１）。冊子に記録する情報を保存すると、入力端末１２は、冊子作成装置１１に対して、作成する冊子の種類を指定して冊子の作成を指示するとともに、冊子のＩＣチップに書き込むべき情報と券面に印刷すべき情報と送信する（ステップＳ１２）。
【００２０】
入力端末１２からの冊子作成指示は、冊子作成装置１１の通信部２７により受信される。入力端末１２からの冊子の作成指示を受信する場合、制御部２０は、冊子の作成指示とともに、作成する冊子の種類を指定する情報と、冊子のＩＣチップに記録する情報と、冊子の券面に印刷する情報とを受信する。
【００２１】
入力端末１２からの冊子の作成指示を受信すると、制御部２０は、供給部２１内において表紙情報読込部２２により次に供給される冊子の表紙情報を読み込む（ステップＳ１３）。表紙情報読込部２２は、読み込んだ冊子の表紙情報を制御部２０へ供給する。制御部２０は、表紙情報読込部２２から供給される表紙情報により次に供給される冊子の種類を判別する（ステップＳ１４）。制御部２０は、たとえば、表紙情報に基づいて、表紙の色、または、表紙の所定位置に記載される文字などのより冊子の種類を判別する。
【００２２】
冊子の種類を判別すると、制御部２０は、供給部２１から次に供給される冊子の種類と作成が指示された冊子の種類とが一致するか否かを判断する（ステップＳ１５）。供給される冊子の種類と作成すべき冊子の種類とが一致とすると判断すると、制御部２０は、供給部２１により冊子を装置内へ供給させる（ステップＳ１６）。供給部２１が冊子を供給すると、読込部２３は、供給部２１から取り込んだ冊子から固有情報を読み込む（ステップＳ１７）。さらに、書込部２４は、入力端末１２から冊子のＩＣチップへの書き込みが指示された個人情報を当該冊子のＩＣチップへ書き込む処理を行う（ステップＳ１８）。
【００２３】
たとえば、書込部２４は、データの書き込みコマンドを冊子のＩＣチップへ供給し、冊子のＩＣチップから当該コマンドに対する書き込み完了を示すレスポンスを受けることより、データの書き込み処理を行う。なお、情報の書込処理が正常に完了した場合、書込部２４は、当該ＩＣチップにおけるデータの書き換えなどができないように、当該ＩＣチップを閉塞する閉塞処理を行うようにしても良い。このＩＣチップへの閉塞処理により、ＩＣチップに書き込んだデータのセキュリティが保護される。
【００２４】
印刷部２５は、書込部２４によりＩＣチップに個人情報が書き込まれた冊子のパーソナル頁に入力端末１２から取得した個人情報（氏名、顔画像等）を含む情報を印刷する（ステップＳ１９）。印刷部２５は、たとえば、顔画像、蛍光画像、および、ＭＲＺにおける所定の情報を当該冊子のパーソナル頁に印刷する。印刷部２５による個人情報を含む情報の印刷が正常終了した冊子は、正常に作成された個人用の冊子として、集積部２６に排出される（ステップＳ２０）。正常に作成された個人用の冊子を集積部２６に集積すると、制御部２０は、監視端末１３および入力端末１２へ冊子の作成完了を通知する（ステップＳ２１、Ｓ２２）。なお、入力端末１２は、作成完了の通知を受けた場合、記憶部１２ｂに記憶した当該冊子に記録及び印刷する情報を削除する。
【００２５】
図４は、冊子作成システムにおいて、冊子作成装置１１にセットされている冊子の種類の誤り（不一致）を検出した場合の動作シーケンスを示す図である。  
まず、オペレータは、入力端末１２の操作部１２ａを使用し、作成する冊子の種類を指定して作成する冊子に記録及び印刷する個人情報を入力する（ステップＳ１０）。入力端末１２は、入力された情報から作成する冊子に記録及び印刷すべき情報を記憶部１２ｂに保存する（ステップＳ１１）。冊子に記録する情報を保存すると、入力端末１２は、冊子作成装置１１に対して、作成する冊子の種類を指定して冊子の作成を指示するとともに、冊子のＩＣチップに書き込むべき情報と券面に印刷すべき情報と送信する（ステップＳ１２）。
【００２６】
入力端末１２からの冊子の作成指示を受信すると、制御部２０は、供給部２１内において表紙情報読込部２２により供給部２１から次に供給される冊子の表紙情報を読み込む（ステップＳ１３）。表紙情報読込部２２は、読み込んだ冊子の表紙情報を制御部２０へ供給する。制御部２０は、表紙情報読込部２２から供給される表紙情報により次に供給される冊子の種類を判別する（ステップＳ１４）。冊子の種類を判別すると、制御部２０は、供給部２１から次に供給される冊子の種類と作成が指示された冊子の種類とが一致するか否かを判断する（ステップＳ１５）。
【００２７】
供給部２１から供給される冊子（供給部２１にセットされている冊子）の種類と作成すべき冊子の種類とが一致しないと判断すると、制御部２０は、冊子の作成処理を中止する（ステップＳ２０）。冊子の作成処理を中止する中止処理として、制御部２０は、供給部２１による冊子の供給を直ちに中止するとともに、当該冊子の作成指示を取り消し、当該冊子に記録及び印刷すべき情報を削除する。冊子の作成処理を中止すると、制御部２０は、通信部２７により供給部２１にセットされている冊子の種類が作成すべき冊子の種類と一致しないこと（冊子種類の誤りであること）を監視端末１３と入力端末１２とへ通知する（ステップＳ２１、Ｓ２２）。
【００２８】
冊子作成装置１１の供給部２１にセットされている冊子の種類と作成すべき冊子の種類とが一致しない旨の通知を受けた場合、監視端末１３は、供給部２１にセットされている冊子の種類が誤っている（作成すべき冊子の種類と一致しない）旨を表示部１３ａに表示するとともに（ステップＳ２３）、スピーカ１３ｂからオペレータの注意を喚起するための音を鳴らす（ステップＳ２４）。たとえば、監視端末１３は、冊子作成装置１１の供給部２１にセットした冊子種類の誤りを案内するとともに、正しい種類の冊子を入れなおす旨の案内を表示する。
【００２９】
この状態において、オペレータは、冊子作成装置１１における供給部２１にセットされている冊子を抜き取り（ステップＳ２５）、正しい種類の冊子を供給部２１に再セットする（ステップＳ２６）。これらの作業が終了すると、オペレータは、入力端末１２により冊子の作成再開を指示入力する（ステップＳ２７）。作成再開が指示されると、入力端末１２は、記憶部１２ｂに記憶しておいた先に入力された入力情報（冊子に記録及び印刷すべき情報）を読み出す（ステップＳ２８）。
【００３０】
冊子に記録する情報を読み出すと、入力端末１２は、上記ステップＳ１２と同様に、冊子作成装置１１に対して、作成する冊子の種類を指定して冊子の作成を指示するとともに、冊子のＩＣチップに書き込むべき情報と券面に印刷すべき情報と送信する（ステップＳ２９）。すなわち、ステップＳ２９の冊子の作成指示は、上記ステップＳ１２と同様なものである。従って、冊子の作成指示を受けた冊子作成装置１１は、上記ステップＳ１３からの処理を再び実施する。
【００３１】
上述した動作シーケンスでは、冊子の取り込み前に冊子種類を特定し、作成する冊子の種類と取り込む冊子の種類との一致を確認し、セットした冊子の種類が間違っている場合、当該冊子を装置内に供給することなく、冊子種類の誤りを通知する。これにより、操作者は、冊子の作成を指示してから短時間で冊子の入れ間違いを認識できる。また、誤った種類の冊子は、装置内に供給される前（供給部内）で留まっているため、冊子の入れ替えをするだけで冊子の再作成が可能となる。このため、装置内に補充された冊子を入れ替えてから、冊子の作成を再開するまでに実施する操作者の作業量と作業時間を大幅に短縮することが可能となる。
【００３２】
次に、冊子作成装置１１の冊子の作成処理について説明する。  
図５は、冊子作成装置１１における冊子の処理を説明するためのフローチャートである。  
冊子作成装置１１は、入力端末１２からの冊子作成指示を通信部２７により受信する。入力端末１２から冊子の作成指示を受信すると（ステップＳ３１、ＹＥＳ）、制御部２０は、供給部２１内に冊子がセットされているか否かをチェックする（ステップＳ３２）。
【００３３】
供給部２１内に冊子がセットされていないと判断した場合（ステップＳ３２、ＮＯ）、制御部２０は、監視端末１３および入力端末１２に対して初期状態の冊子を供給部２１に補充する旨を通知する（ステップＳ３４、Ｓ３５）。冊子の補充を通知した後、制御部２０は、受信した冊子の作成指示を取り消し（ステップＳ３５）、上記ステップＳ３１へ戻る。受信した冊子の作成指示を取り消す場合、制御部２０は、受信した冊子の作成指示とともに、冊子に記録及び印刷すべき情報として受信した情報なども削除する。
【００３４】
供給部２１内に冊子がセットされていると判断した場合（ステップＳ３２、ＹＥＳ）、制御部２０は、供給部２１内において表紙情報読込部２２により次に供給される冊子の表紙情報を読み込む（ステップＳ３６）。表紙情報読込部２２は、読み込んだ冊子の表紙情報を制御部２０へ供給する。制御部２０は、表紙情報読込部２２から供給される表紙情報により次に供給される冊子の種類を判別する（ステップＳ３７）。供給部２１が次に供給する冊子の種類を判別すると、制御部２０は、供給される冊子の種類と作成が指示された冊子の種類とが一致するか否かを判断する（ステップＳ３８）。
【００３５】
供給される冊子の種類と作成すべき冊子の種類とが一致とすると判断した場合（ステップＳ３８、ＹＥＳ）、制御部２０は、供給部２１から冊子を装置内へ供給させる（ステップＳ３９）。供給部２１が冊子を供給すると、読込部２３は、供給部２１から取り込んだ冊子から固有情報を読み込み（ステップＳ４０）、書込部２４は、入力端末１２から冊子のＩＣチップへの書き込みが指示された個人情報を含む情報を当該冊子のＩＣチップへ書き込む（ステップＳ４１）。書込部２４によりＩＣチップに個人情報が書き込まれると、印刷部２５は、当該冊子の所定の頁（パーソナル頁）に入力端末１２から取得した個人情報（氏名、顔画像等）を含む情報を印刷する（ステップＳ４２）。印刷部２５による個人情報を含む情報の印刷が正常終了した場合、制御部２０は、当該冊子を正常に作成された個人用の冊子として、集積部２６に排出する（ステップＳ４３）。なお、正常に作成された個人用の冊子を集積部２６に集積すると、制御部２０は、監視端末１３および入力端末１２へ冊子の作成完了を通知する（ステップＳ４４、Ｓ４５）。
【００３６】
また、供給部２１から次に供給される冊子の種類と作成すべき冊子の種類とが一致しないと判断した場合（ステップＳ３８、ＮＯ）、制御部２０は、供給部２１による冊子の供給を直ちに中止する（ステップＳ４６）。さらに、制御部は、通信部２７により供給部２１にセットされている冊子の種類が作成すべき冊子の種類と一致しないこと（冊子種類の誤りであること）を監視端末１３および入力端末１２へ通知する（ステップＳ４７、Ｓ４８）。冊子の種類誤りを通知した後、制御部２０は、受信した冊子の作成指示を取り消し（ステップＳ３５）、上記ステップＳ３１へ戻る。
【００３７】
上記したように、冊子作成装置は、冊子の作成指示を受けた場合、供給部にセットされている冊子の種類を特定し、供給部にセットされている冊子の種類と作成が指示された冊子の種類とが一致するか否かを確認する。供給部にセットされている冊子の種類と作成すべき冊子の種類とが一致しない場合、冊子作成装置は、当該冊子を装置内に取り込むことを中止し、供給部にセットされている冊子の種類が誤っている（作成すべき冊子の種類と適合しない）旨を監視端末および入力端末へ通知する。
【００３８】
これにより、操作者は、冊子の作成を指示してから短時間で冊子作成装置にセットした冊子の種類が作成すべき冊子の種類と異なっていることを認識できる。また、誤った種類の冊子を供給部内に留めた状態で作成を中止するため、操作者は、供給部内の冊子を正しい種類の冊子に入れ替えをするだけで冊子の再作成が可能となる。これにより、正しい種類の冊子をし直して冊子の作成を再開するまでに要する操作者の作業量と作業時間とが削減できる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１１…冊子作成装置、１２…入力端末、１２ａ…操作部、１２ｂ…記憶部、１３…監視端末、１３ａ…表示部、１３ｂ…スピーカ、２０…制御部、２１…供給部、２２…表紙情報読込部、２３…読込部、２４…書込部、２５…印刷部、２６…集積部、２７…通信部。
【図１】
2013067048.tif 000003
【図２】
2013067048.tif 000004
【図３】
2013067048.tif 000005
【図４】
2013067048.tif 000006
【図５】
2013067048.tif 000007